(57)【要約】【課題】１つの表示部に複数の加熱手段の異常表示をする場合、異常が発生して異常表示を解除したい場合に異常が発生した加熱手段以外の操作部でも異常表示が解除できるようにすること。【解決手段】第１の加熱手段２の加熱状態と第１の加熱手段２の異常と第２の加熱手段３の異常を表示する第１の表示部６は、第２の表示部７より表示桁数が多く、第１の表示部６に第２の加熱手段３の異常が表示されると第１の操作部４または第２の操作部５のいずれでも異常表示を解除すること。【選択図】図１
2014149089.tif 000002
【特許請求の範囲】
【請求項１】
複数の加熱手段と、第１の加熱手段の異常を検知する第１の異常検知手段と、第２の加熱手段の異常を検知する第２の異常検知手段と、前記第１の加熱手段の加熱状態と前記第１の加熱手段の異常と前記第２の加熱手段の異常を表示する第１の表示部と、前記第２の加熱手段の加熱状態を表示する第２の表示部と、前記第１の加熱手段の加熱状態を変化させる第１の操作部と、前記第２の加熱手段の加熱状態を変化させる第２の操作部とを備え、前記第１の表示部は前記第２の表示部より表示桁数が多く、前記第１の表示部に前記第２の加熱手段の異常が表示されると前記第１の操作部または前記第２の操作部のいずれでも異常表示を解除する加熱調理器。
【請求項２】
前記第１の操作部と前記第２の操作部は直線状に配置され、前記第１の加熱手段の一部は前記第１の操作部と前記第２の操作部を結ぶ直線と垂直に伸ばした線上で前記第１の操作手段の一部と重なり、前記第２の加熱手段の一部は前記第１の操作部と前記第２の操作部を結ぶ直線と垂直に伸ばした線上で前記第２の操作手段の一部と重なるよう配置した請求項１に記載の加熱調理器。
【請求項３】
前記第１の加熱手段は、前記第２の加熱手段より大きい請求項１に記載の加熱調理器。
【請求項４】
いずれかの加熱手段で異常が発生した場合、全ての加熱手段の加熱を停止する請求項１〜３のいずれか１項に記載の加熱調理器。
【請求項５】
いずれかの加熱手段で異常が発生した場合、異常が発生していない加熱手段の加熱を継続する請求項１〜４のいずれか１項に記載の加熱調理器。
【請求項６】
前記第１の加熱手段の制御と前記第２の加熱手段の制御を同じ制御手段で行う請求項１〜５に記載の加熱調理器。
【発明の詳細な説明】
【技術分野】
【０００１】
本発明は、加熱調理器の表示に関するものである。
【背景技術】
【０００２】
従来、この種の加熱調理器としては、例えば、特許第３７１９１１７号に記載されているものがある。
【０００３】
図６に加熱調理器のブロック図を示す。
【０００４】
図６において第１の加熱部１０１、第２の加熱部１０２、操作部１０３は第１の加熱部１０１および第２の加熱部１０２の設定状態を設定すると共に「選択」キー１０３ａを備え、スイッチ等で構成し、第１の表示部１０４は操作部１０３で設定した第１の加熱部１０１および第２の加熱部１０２の設定状態に対応した表示をそれぞれ独立して表示するＬＥＤやＬＥＤで構成し、異常検知部１０５は第１の加熱部１０１および第２の加熱部１０２で発生した異常を検知するものであり、第２の表示部１０６は選択手段１０４ａにて選択された加熱部に対して操作部１０３で設定したタイマーの残時間や異常表示に対応した文字や数字を表示するＬＥＤやＬＣＤで構成したものである。
【０００５】
例えば、第１の加熱部１０１の設定は、図６に示す第１の操作部１０７の「切／入」キー１０７ａ、火力「アップ」キー１０７ｂ、火力「ダウン」キー１０７ｃで行う。同時に第１の表示部１０４の第１の表示領域１０９内の加熱状態を示すＬＥＤ１０９ａ、火力設定状態を示すＬＥＤ１０９ｂに設定されている状態を点灯・消灯によって表示する。火力設定状態はＬＥＤ１０９ｂの中の「強」、「中」、「弱」に対応したＬＥＤを点灯する。
【０００６】
第１の加熱部１０１の加熱が停止中に「切／入」キー１０７ａを押すと、ＬＥＤ１０９ａが点灯し、ＬＥＤ１０９ｂの「中」に対応するＬＥＤが点灯する。
【０００７】
火力「アップ」キー１０７ｂを１回押すと火力が１段階上がり、ＬＥＤ１０９ｂの「中」に対応するＬＥＤは消灯して、「強」に対応するＬＥＤが点灯する。
【０００８】
第２の加熱部１０２の設定と表示についても、「切／入」キー１０８ａ、火力「アップ」キー１０８ｂ、火力「ダウン」キー１０８ｃ、ＬＥＤ１１０ａ、ＬＥＤ１１０ｂを用いて同様に行う。
【０００９】
タイマーの設定を行うには第４の操作領域１１２の中の「選択」キー１０３ａで所望の加熱部を選択する。「選択」キー１０４ａは押す度に選択する加熱部を変更することができる。第４の操作領域１１２の中の「分」キー１１２ａを押すとタイマー調理の残時間が設定でき、「分」キー１１２ａを１回押す毎に残時間を１分ずつ増加させる。タイマー調理を止める時は「取消」キー１１２ｂを押す。同時に第２の表示部１０６の第４の表示領域１１１内に配置された選択された加熱部を表す「第１」ＬＥＤ１０６ａ、「第２」ＬＥＤ１０６ｂの内選択されている方を点灯し、「分」キー１１２ａを押す毎に数字表示素子１０６ｃの表示を１刻みに増加させて表示する。
【００１０】
第１の加熱部１０１が火力「強」で加熱中に「選択」キー１０３ａで第１の加熱部１０１を選択すると、「第１」ＬＥＤ１０６ａが点灯する。「分」キー１１２ａを１回押すと数字表示素子１０６ｃは１と表示し、更に「分」キー１１２ａを１回押すと数字表示素子１０６ｃは２と表示する。
【００１１】
ここで、第１の加熱部１０１または第２の加熱部１０２で異常が発生した場合は、その異常を異常検知手段１０５が検知し、第２の表示部１０６で異常表示を行う。
【００１２】
例えば、第１の加熱部１０１が備えている温度検知素子（図示せず）が破壊して温度検知を正常に行えなくなった場合、異常検知手段１０５が温度検知素子の異常を検知し、温度検知素子異常を表す「Ｈ１」を数字表示素子１０６ｃに表示する。同時に「第１」ＬＥＤ１０６ａを点灯し第１の加熱部１０１の異常であることを示す。
【００１３】
この時すでに第２の加熱部１０２がタイマー調理を行っていた場合、第１の加熱手段１０１の温度検知素子異常が発生する前に数字表示素子１０６ｃには第２の加熱部１０２の残時間が表示され、「第２」ＬＥＤ１０６ｂが点灯している。その後、第１の加熱部１０１で温度検知素子異常が起こると数字表示素子１０６ｃには残時間と「Ｈ１」が約１秒間隔で交互に点灯する。
【先行技術文献】
【特許文献】
【００１４】
【特許文献１】特許第３７１９１１７号公報
【発明の概要】
【発明が解決しようとする課題】
【００１５】
従来の加熱調理器では数字表示素子に表示された数字や文字がどの加熱部の設定または異常表示であるかを判断するためには「第１」ＬＥＤ、「第２」ＬＥＤの点灯状態を確認する必要があり、「第１」ＬＥＤ、「第２」ＬＥＤと第１の加熱部、第２の加熱部との相関関係、また第１の加熱部、第２の加熱部と第１の操作領域、第２の操作領域との相関関係を認識しておく必要がある。
【００１６】
異常表示が数字表示素子に表示された場合、表示を解除するために「切／入」キーを押すことが一般的であるが、使用者は異常表示が表示されると「第１」ＬＥＤまたは「第２」ＬＥＤのどちらが点灯しているかを確認し、仮に「第１」ＬＥＤが点灯していたら第１の加熱部で異常が発生したと認識し、更に第１の操作領域の「切／入」キーを操作すると関連付けて操作を行い、異常表示を解除しなくてはならず、直観的に適切なキーの操作に結びつかない。
【００１７】
異常表示を消したい場合には「第１」ＬＥＤから第１の操作領域までの関連付けが煩わしくなり、とっさに数字表示素子の近くにある「切／入」キーを押してしまい、異常表示が消えないことで使用者が混乱するといった不具合がある。
【００１８】
また、適切でないキー操作をすることで使用者の意図しない加熱の開始や加熱の停止、火力の変更などが起こり、特に意図せず加熱を開始したまま放置すると鍋の空焼きで鍋を劣化させたり、調理物を過度に加熱して調理物が炭化するなどの不具合が考えられる。
【課題を解決するための手段】
【００１９】
本発明は、上記従来の課題を解決するもので、複数の加熱手段と、第１の加熱手段の異常を検知する第１の異常検知手段と、第２の加熱手段の異常を検知する第２の異常検知手段と、第１の加熱手段の加熱状態と第１の加熱手段の異常と第２の加熱手段の異常を表示する第１の表示部と、第２の加熱手段の加熱状態を表示する第２の表示部と、前記第１の加熱手段の加熱状態を変化させる第１の操作部と、前記第２の加熱手段の加熱状態を変化させる第２の操作部とを備え、前記第１の表示部は前記第２の表示部より表示桁数が多く、前記第１の表示部に前記第２の加熱手段の異常が表示されると前記第１の操作部または
前記第２の操作部のいずれでも異常表示を解除できるようにしたもので、この手段により異常が発生して異常表示を解除したい場合に異常が発生した加熱手段以外の操作部でも異常表示が解除できる。
【発明の効果】
【００２０】
本発明により、表示部の表示可能な文字数が異なる場合に表示可能な文字数の多い方の表示部で複数の加熱手段の火力や異常表示を表示する場合、表示されている異常表示を解除するための手段が複数あるため、使用者は表示している異常表示がどの加熱手段の異常であるかを関連付けて操作部を選択する必要がなく、とっさに異常表示を解除したい場合も適切なキーを簡単に選ぶことができて操作を防止できる。
【００２１】
誤操作を防ぐことで意図しない加熱開始や火力変更により鍋の空焼きや調理物の過度な加熱を防ぐことになり、より安全で使い勝手のいい加熱調理器を提供できる。
【図面の簡単な説明】
【００２２】
【図１】実施の形態１〜３の誘導加熱調理器の上面図
【図２】実施の形態１〜３の誘導加熱調理器のブロック図
【図３】実施の形態１、２の誘導加熱調理器の表示例・ブロック図
【図４】実施の形態１，２の誘導加熱調理器の表示例・ブロック図
【図５】実施の形態３の誘導加熱調理器の表示例・ブロック図
【図６】従来例の加熱調理器のブロック図
【発明を実施するための形態】
【００２３】
第１の発明は、複数の加熱手段と、第１の加熱手段の異常を検知する第１の異常検知手段と、第２の加熱手段の異常を検知する第２の異常検知手段と、第１の加熱手段の加熱状態と第１の加熱手段の異常と第２の加熱手段の異常を表示する第１の表示部と、第２の加熱手段の加熱状態を表示する第２の表示部と、前記第１の加熱手段の加熱状態を変化させる第１の操作部と、前記第２の加熱手段の加熱状態を変化させる第２の操作部とを備え、前記第１の表示部は前記第２の表示部より表示桁数が多く、前記第１の表示部に前記第２の加熱手段の異常が表示されると前記第１の操作部または前記第２の操作部のいずれでも異常表示を解除できることで異常表示がどの加熱手段の異常であるかを関連付けて操作部を選択する手間が省け、とっさに異常表示を解除したい場合も適切なキーを簡単に選ぶことができるため誤操作を防止できる。
【００２４】
第２の発明は、特に、第１の発明において、前記第１の操作部と前記第２の操作部は直線状に配置され、前記第１の加熱手段の一部は前記第１の操作部と前記第２の操作部を結ぶ直線と垂直に伸ばした線上で前記第１の操作手段の一部と重なり、前記第２の加熱手段の一部は前記第１の操作部と前記第２の操作部を結ぶ直線と垂直に伸ばした線上で前記第２の操作手段の一部と重なるよう配置したため、第１の加熱手段と第１の操作部、第２の加熱手段と第２の操作部の関係が配置により明確になり、第１の操作部で第１の加熱手段の操作を行うことが視認しやすい。
【００２５】
第３の発明は、特に、第１の発明において、前記第１の加熱手段は前記第２の加熱手段より大きくしたことで加熱手段の大きさと表示部大きさから第１の加熱手段と第１の操作部、第２の加熱手段と第２の操作部の関係が明確になり、第１の操作部で第１の加熱手段の操作を行うことが視認しやすい。
【００２６】
第４の発明は、特に、第１〜３のいずれか１つの発明において、いずれかの加熱手段で異常が発生した場合、全ての加熱手段の加熱を停止するため、異常発生時は加熱調理器をより安全な状態に維持できる。
【００２７】
第５の発明は、特に、第１〜４のいずれか１つの発明において、いずれかの加熱手段で異常が発生した場合、異常が発生していない加熱手段の加熱を継続するため、異常のない加熱手段は調理を続ける事ができ、特にシーケンス制御で自動調理を行っているような場合は、途中で自動調理が止まり再度初めから自動調理を行う手間を省くことができる。
【００２８】
第６の発明は、第１〜５のいずれか１つの発明において、前記第１の加熱手段の制御と前記第２の加熱手段の制御を同じ制御手段で行うことで制御に用いるマイコンやコネクタなどの部品点数を減らしコストダウンすることができる。
【００２９】
以下、本発明の実施の形態について、図面を参照しながら説明する。なお、本実施の形態によって、本発明が限定されるものではない。
【００３０】
（実施の形態１）
図１〜図４に本発明の第１の実施の形態における誘導加熱調理器を示す。
【００３１】
図１は本実施の形態における誘導加熱調理器を上面から見た図である。
【００３２】
図２は本実施の形態における誘導加熱調理器のブロック図である。
【００３３】
図３、図４は本実施の形態における表示例である。
【００３４】
耐熱強化ガラスからなるトッププレート１上に、第１の加熱手段２、第１の加熱手段２より小さい、例えば、第１の加熱手段２に載置可能な鍋の大きさ（底の径あるいは底の面積）は第２の加熱手段３に載置可能な鍋より大きい、第２の加熱手段３をそれぞれ図の円の位置に配置し、各加熱部はトッププレート１の下面に誘導加熱コイル（図示せず）を有する。
【００３５】
第１の加熱手段２は加熱の入・切と火力を操作する第１の操作部４、火力の表示を行う３桁表示の７セグＬＥＤからなり第１の加熱手段２の火力を表示する第１の表示部６を有し、第２の加熱手段３は加熱の入・切と火力を操作する第２の操作部５、１桁表示の７セグＬＥＤからなり第２の加熱手段３の火力を表示する第２の表示部７を有する。
【００３６】
また、第１の加熱手段２の異常を検知する第１の異常検知手段８、第２の加熱手段３の異常を検知する第２の異常検知手段９で各加熱部の異常を検知し、異常が発生すると制御部１０に異常信号を送る。
【００３７】
第１の操作部４、第２の操作部５はキー操作の情報を制御部１０に送り、制御部１０は操作で指示された加熱状態になるよう第１の加熱手段２、第２の加熱手段３の火力を制御するとともに、第１の表示部６、第２の表示部７に各加熱手段の加熱状態を表示する。
【００３８】
第１の表示部       ６は第１の加熱手段２の火力の他に、第１の加熱手段２の異常表示、第２の加熱手段３の異常表示も行う。
【００３９】
第１の操作部４と第２の操作部５は直線上に並んで配置され、第１の加熱手段２の少なくとも一部は第１の操作部４を起点として、第１の操作部４と第２の操作部５を結ぶ直線と垂直方向に引いた直線上に配置する。同様に第２の加熱手段３の少なくとも一部は第２の操作部５を起点として、第１の操作部４と第２の操作部５を結ぶ直線と垂直方向に引いた直線上に配置する。
【００４０】
トッププレート１上には機器の主電源を入・切する電源キー１１を配置する。
【００４１】
主電源が切状態では第１の操作部４、第２の操作部５の全てのキーは受け付けない。
【００４２】
電源キー１１操作で主電源を入状態にすると、第１の操作部４の切／入キー４ａ、第２の操作部５の切／入キー５ａが受け付け有効となる。
【００４３】
主電源が入状態で第１の操作部４の切／入キー４ａを１回押すと、第１の操作部４から制御部１０にキー操作の情報が送られ、制御部１０は図４に示すように第１の表示部６に「８」を表示し、第１の加熱手段２の誘導加熱コイルに加熱信号を送信して「火力８」で加熱を開始する。次に第１の操作部４のアップキー４ｂを１回押すと、第１の操作部４から制御部１０にアップキー操作情報が送られ、制御部１０は第１の表示部６に「９」を表示し、第１の加熱手段２の誘導加熱コイルに加熱信号を送信して「火力９」で加熱を行う。
【００４４】
この時、第２の加熱手段３の基板上の温度を検知する温度検知手段（図示せず）の検知温度が上昇し基板高温異常を検知すると第２の異常検知手段９は基板高温異常を制御部１０に送る。制御部１０は基板高温異常の異常を示す「Ｕ０４」を第１の表示部６に表示する。第１の表示部６には第１の加熱手段２の火力「９」が表示されていたが、図４に示すように「Ｕ０４」の表示を優先し、制御部１０は第１の加熱手段２の加熱を停止する。
【００４５】
その後、第１の操作部４の切／入キー４ａ、第２の操作部５の切／入キー５ａのどちらかを操作すると第１の表示部６に表示された「Ｕ０４」の異常表示を消灯する。
【００４６】
同様に主電源が入状態で第２の操作部５の切／入キー５ａを１回押すと、第２の操作部５から制御部１０にキー操作情報が送られ、制御部１０は第２の表示部７に「８」を表示し、第２の加熱手段３の誘導加熱コイルに加熱信号を送信して「火力８」で加熱を開始する。次に第２の操作部５のダウンキー５ｃを１回押すと、第２の操作部５から制御部１０にダウンキー操作情報が送られ、制御部１０は第２の表示部７に「７」を表示し、第２の加熱手段３の誘導加熱コイルに加熱信号を送信して「火力７」で加熱を行う。
【００４７】
この時、第１の加熱手段２上のトッププレート１温度を測定する温度検知手段（図示せず）の検知温度が上昇しトッププレート高温異常を検知すると第１の異常検知手段８はトッププレート高温異常を制御部１０に送る。制御部１０はトッププレート高温異常を示す「Ｕ１３」を第１の表示部６に表示する。
【００４８】
この時、制御部１０は第２の表示部７に表示していた第２の加熱手段３の火力「７」を消し、第２の加熱手段の加熱を停止する。
【００４９】
その後、第１の操作部４の切／入キー４ａ、第２の操作部５の切／入キー５ａのどちらかを操作すると第１の表示部６に表示された「Ｕ１３」の異常表示を消灯する。
【００５０】
これにより３桁の表示ができる表示部が１つしかないため２つの加熱手段の異常表示を１つの表示部に表示する場合に表示された異常表示が第１、第２どちらの加熱手段の異常であるかわからない場合でも第１、第２のどちらかの操作部のキー操作で異常表示の解除が可能であることから、異常表示がどの加熱手段の異常であるかを関連付けて操作部を選択する手間が省け、とっさに異常表示を解除したい場合も適切なキーを簡単に選ぶことができるため誤操作を防止できる。特に意図せず加熱を開始したまま放置すると鍋の空焼きで鍋を劣化させたり、調理物を過度に加熱して調理物が炭化するなどの不具合が生じる可能性があるため、本実施の形態によって上記の不具合が解消されて安全で使い勝手のいい
加熱調理器が実現できる。
【００５１】
（実施の形態２）
図５は本実施の形態における表示例である。
【００５２】
第１の実施の形態と同一部分には同一符合を付して説明を省略し、以下異なる部分についてのみ説明する。
【００５３】
主電源が入状態で第１の操作部４の切／入キー４ａを１回押すと、第１の操作部４から制御部１０にキー操作の情報が送られ、制御部１０は図４に示すように第１の表示部６に「８」を表示し、第１の加熱手段２の誘導加熱コイルに加熱信号を送信して「火力８」で加熱を開始する。
【００５４】
その後、第２の操作部５の切／入キー５ａを１回押すと、第２の操作部５から制御部１０にキー操作情報が送られ制御部１０は図５に示すように第２の表示部７に「８」を表示し、第２の加熱手段３の誘導加熱コイルに加熱信号を送信して「火力８」で加熱を開始する。
【００５５】
第１の加熱手段２、第２の加熱手段３のいずれも加熱状態にある時、第２の異常検知手段９が基板高温異常を検知すると、制御部１０に基板高温異常を送る。制御部１０は基板高温異常の異常を示す「Ｕ０４」を第１の表示部６に表示し、第２の表示部７の火力表示を消灯して、第１の加熱手段２、第２の加熱手段３とも加熱を停止する。
【００５６】
その後、第１の操作部４の切／入キー４ａ、第２の操作部５の切／入キー５ａのどちらかを操作すると第１の表示部６に表示された「Ｕ０４」の異常表示を消灯する。
【００５７】
これによりいずれかの加熱手段で異常が発生した場合は加熱中の加熱手段の加熱を全て止めて安全な加熱調理器を実現する。
【００５８】
（実施の形態３）
第２の実施の形態と同一部分には同一符合を付して説明を省略し、以下異なる部分についてのみ説明する。
【００５９】
主電源が入状態で第１の操作部４の切／入キー４ａを１回押すと、第１の操作部４から制御部１０にキー操作の情報が送られ、制御部１０は図４に示すように第１の表示部６に「８」を表示し、第１の加熱手段２の誘導加熱コイルに加熱信号を送信して「火力８」で加熱を開始する。
【００６０】
その後、第２の操作部５の切／入キー５ａを１回押すと、第２の操作部５から制御部１０にキー操作情報が送られ制御部１０は図５に示すように第２の表示部７に「８」を表示し、第２の加熱手段３の誘導加熱コイルに加熱信号を送信して「火力８」で加熱を開始する。
【００６１】
第１の加熱手段２、第２の加熱手段３のいずれも加熱状態にある時、第２の異常検知手段９が基板高温異常を検知すると、制御部１０に基板高温異常を送る。制御部１０は基板高温異常の異常を示す「Ｕ０４」と第１の加熱手段２の火力「８」を第１の表示部６に交互に表示し、第２の表示部７の火力表示は消灯して、第１の加熱手段２の加熱は維持し、第２の加熱手段３の加熱を停止する。
【００６２】
その後、第１の操作部４の切／入キー４ａ、第２の操作部５の切／入キー５ａのどちら
かを操作すると第１の表示部６に表示された「Ｕ０４」の異常表示を消灯し、第１の表示部６には第１の加熱手段２の火力「８」のみが表示される。
【００６３】
「Ｕ０４」の異常表示を消灯するために第２の操作部５の切／入キー５ａを操作した場合、制御部１０は第２の加熱手段３の加熱は開始せず「Ｕ０４」表示を消すのみである。
【００６４】
これにより複数の加熱部が同時に加熱をしている場合、いずれかの加熱手段で異常が発生しても異常の発生していない加熱手段の加熱は継続し、異常の発生した加熱手段の加熱のみ停止するため、調理が途中で止まることがない。特にシーケンス制御などで自動調理を行っていた場合には継続して自動調理が行えるので、加熱停止により自動調理を始めからやり直す手間を防ぐことができ、使用者に使い勝手のいい加熱調理器を実現できる。
【００６５】
本発明は上記し図面に記載した実施例にのみ限定されるものではなく、次のような変形または拡張が可能である。
【００６６】
加熱装置は誘導加熱装置に限らない。発光手段もＬＥＤに限らない。
【００６７】
加熱部の数は２つに限定されず３つ以上の加熱部を持つ加熱調理器にも適用される。
【００６８】
異常検知手段の検知する異常と異常表示は実施例に示したものに限らず温度検知手段の断線や電源電圧異常など他の異常も適用される。
【産業上の利用可能性】
【００６９】
以上のように、本発明にかかる加熱調理器は複数の加熱部の異常表示を１つの表示桁の多い表示部に表示し、異常表示の解除に複数の加熱部のいずれの切／入キーを使用できるため、車など複数の表示手段を必要とする機器に利用できる。
【符号の説明】
【００７０】
２  第１の加熱手段
３  第２の加熱手段
４  第１の操作部
５  第２の操作部
６  第１の表示部
７  第２の表示部
８  第１の異常検知手段
９  第２の異常検知手段
１０  制御部（制御手段）
１１  電源キー
【図１】
2014149089.tif 000003
【図２】
2014149089.tif 000004
【図３】
2014149089.tif 000005
【図４】
2014149089.tif 000006
【図５】
2014149089.tif 000007
【図６】
2014149089.tif 000008